【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  式（Ia）又は（Ib）：
【化１】
2002544205.tif 000001
〔式中、
ｎは、１又は２であり；
ＰＩは、式（IIa）、（IIb）又は（IIc）：
【化２】
2002544205.tif 000002
で示される基であり；
ＰＩ′は、式（IIIa）又は（IIIb）：
【化３】
2002544205.tif 000003
で示される基であり；
Ａｒは、フェニル、ビフェニリル又はベンゾイルフェニル（それぞれは、非置換であるか、又はハロゲン、Ｃ1−Ｃ12アルキル、Ｃ3−Ｃ12アルケニル、Ｃ5−Ｃ6シクロアルキル、フェニル−Ｃ1−Ｃ3アルキル、−ＣＯＯＨ、−ＣＯＯ（Ｃ1−Ｃ4アルキル）、−ＯＲ7、−ＳＲ8、−ＳＯＲ8、−ＳＯ2Ｒ8、−ＣＮ、−ＳＯ2ＮＨ2、−ＳＯ2ＮＨ（Ｃ1−Ｃ4アルキル）、−ＳＯ2−Ｎ（Ｃ1−Ｃ4アルキル）2、−ＮＲ9Ｒ10、−ＮＨＣＯＲ9、若しくは式（IV）：
【化４】
2002544205.tif 000004
で示される基１〜５個により、置換されている）であるか；あるいは
Ａｒは、式（Ｖ）又は（VI）：
【化５】
2002544205.tif 000005
で示される基であり；
Ａｒ2は、下記式：
【化６】
2002544205.tif 000006
（それぞれは、非置換であるか、又はハロゲン、Ｃ1−Ｃ12アルキル、Ｃ3−Ｃ12アルケニル、Ｃ5−Ｃ6シクロアルキル、フェニル−Ｃ1−Ｃ3アルキル、−ＣＯＯＨ、−ＣＯＯ（Ｃ1−Ｃ4アルキル）、−ＯＲ7、−ＳＲ8、−ＳＯＲ8、−ＳＯ2Ｒ8、−ＣＮ、−ＳＯ2ＮＨ2、−ＳＯ2ＮＨ（Ｃ1−Ｃ4アルキル）、−ＳＯ2−Ｎ（Ｃ1−Ｃ4アルキル）2、−ＮＲ9Ｒ10、−ＮＨＣＯＲ9、若しくは式（IV）の基１〜５個により、置換されている）で示される基であるか；あるいは
Ａｒ2は、式（Va）又は（VIa）：
【化７】
2002544205.tif 000007
で示される基であり；
Ｇは、非分岐又は分岐のＣ1−Ｃ7アルキレンであり；
Ｌ及びＥは、相互に独立に、直接結合、−Ｏ−、−Ｓ−又は−Ｎ（Ｒ6）−であり（ただし、Ｌ及びＥは、両方が同時に直接結合ではない）；
Ｒ1及びＲ2は、相互に独立に、Ｒ7Ｏ−；Ｃ1−Ｃ8アルキル（非置換であるか、又はＯＨ、Ｃ1−Ｃ4アルコキシ、ＳＲ8、ＣＮ、（Ｃ1−Ｃ8アルキル）Ｏ（ＣＯ）−、（Ｃ1−Ｃ4アルキル）−（ＯＣ）Ｏ−若しくは−Ｎ（Ｒ3）（Ｒ4）により置換されている）であるか；あるいはＲ1及びＲ2は、相互に独立に、Ｃ3−Ｃ6アルケニル、フェニル、クロロフェニル、Ｒ7−Ｏ−フェニル、Ｒ8−Ｓ−フェニル又はフェニル−Ｃ1−Ｃ3−アルキルであるか、あるいはＲ1及びＲ2は、一緒に、非分岐又は分岐のＣ2−Ｃ9アルキレン、Ｃ3−Ｃ9オキサアルキレン又はＣ3−Ｃ9アザアルキレンであるか、あるいはＲ1及びＲ2は、相互に独立に、式（VII）又は（VIII）：
【化８】
2002544205.tif 000008
で示されるラジカルであり；
ｐは、０又は１であり；
Ａｒ3は、フェニル、ナフチル、フリル、チエニル又はピリジル（それぞれは、非置換であるか、又はハロゲン、ＳＨ、ＯＨ、Ｃ1−Ｃ12アルキル、ＯＨ−置換Ｃ1−Ｃ4アルキル、ハロゲン−置換Ｃ1−Ｃ4アルキル、ＳＨ−置換Ｃ1−Ｃ4アルキル、Ｎ（Ｒ17）2−置換Ｃ1−Ｃ4アルキル、Ｃ1−Ｃ12アルコキシ−置換Ｃ1−Ｃ4アルキル、（Ｃ1−Ｃ18アルキル）Ｏ（ＯＣ）−置換Ｃ1−Ｃ4アルキル、ＣＨ3Ｏ（ＣＨ2ＣＨ2Ｏ）mＣＯ−置換Ｃ1−Ｃ4アルキル、（Ｃ1−Ｃ4アルキル）（ＯＣ）Ｏ−置換Ｃ1−Ｃ4アルキル、Ｃ1−Ｃ12アルコキシ、（Ｃ1−Ｃ18アルキル）（ＯＣ）Ｏ−置換Ｃ1−Ｃ4アルコキシ、ＣＨ3Ｏ（ＣＨ2ＣＨ2Ｏ）mＣＯ−置換Ｃ1−Ｃ4アルコキシ、−（ＯＣＨ2ＣＨ2）mＯＨ、−（ＯＣＨ2ＣＨ2）mＯＣＨ3、Ｃ1−Ｃ8アルキルチオ、フェノキシ、−ＣＯＯ（Ｃ1−Ｃ18アルキル）、−ＣＯ（ＯＣＨ2ＣＨ2）mＯＣＨ3、フェニル若しくはベンゾイルにより置換されている）であり；
ｍは、１〜２０であり；
Ｍ1は、−ＮＲ3Ｒ4又は−ＯＨであるか、あるいはＲ1及びＲ2が、Ｒ7Ｏ−であるとき、Ｍ1は、Ａｒであり；
Ｍ1′は、下記式：
【化９】
2002544205.tif 000009
で示される基であるか、あるいはＲ1及びＲ2が、Ｒ7Ｏ−であるとき、Ｍ1′は、Ａｒ2であり；
Ｒ1′及びＲ3′は、相互に独立に、直接結合、Ｃ1−Ｃ12アルキレン、又はフェニレンであり；
Ｅ1は、−ＣＨ2−、−Ｏ−、−Ｎ（Ｒ6）−又は−Ｓ−であり；
Ｒ3は、水素、Ｃ1−Ｃ12アルキル；Ｃ2−Ｃ4アルキル（ＯＨ、ＳＨ、Ｃ1−Ｃ4アルコキシ、ＣＮ又は−ＣＯＯ（Ｃ1−Ｃ4アルキル）により置換されている）であるか；あるいはＲ3は、Ｃ3−Ｃ5アルケニル、Ｃ5−Ｃ12−シクロアルキル又はフェニル−Ｃ1−Ｃ3アルキルであり；
Ｒ4は、Ｃ1−Ｃ12アルキル；Ｃ2−Ｃ4アルキル（ＯＨ、ＳＨ、Ｃ1−Ｃ4アルコキシ、ＣＮ又は−ＣＯＯ（Ｃ1−Ｃ4アルキル）により置換されている）であるか；あるいはＲ4は、Ｃ3−Ｃ5アルケニル、Ｃ5−Ｃ12−シクロアルキル、フェニル−Ｃ1−Ｃ3アルキル；フェニル（非置換であるか、又はハロゲン、Ｃ1−Ｃ12アルキル、Ｃ1−Ｃ4アルコキシ若しくは−ＣＯＯ（Ｃ1−Ｃ4アルキル）により置換されている）であるか；あるいは
Ｒ4は、Ｒ2と一緒に、Ｃ1−Ｃ7アルキレン、フェニル−Ｃ1−Ｃ4アルキレン、ｏ−キシリレン、２−ブテニレン、Ｃ2−Ｃ3オキサアルキレン又はＣ2−Ｃ3アザアルキレンであるか；あるいは
Ｒ3及びＲ4は、一緒に、Ｃ3−Ｃ7アルキレン（場合により、−Ｏ−、−Ｓ−、−ＣＯ−又は−Ｎ（Ｒ6）−が割り込んでおり、かつこのＣ3−Ｃ7アルキレンは、非置換であるか、又はＯＨ、ＳＨ、Ｃ1−Ｃ4アルコキシ若しくは−ＣＯＯ（Ｃ1−Ｃ4アルキル）により置換されている）であり；
Ｒ6は、水素、Ｃ1−Ｃ12アルキル、ＯＨ−置換Ｃ1−Ｃ12アルキル、ＳＨ−置換Ｃ1−Ｃ12アルキル又はＨＳ−（ＣＨ2）n−ＣＯＯ−置換Ｃ1−Ｃ12アルキル；Ｃ2−Ｃ12アルキル（−Ｏ−、−ＮＨ−又は−Ｓ−が割り込んでいる）であるか；あるいは
Ｒ6は、Ｃ3−Ｃ5アルケニル、フェニル−Ｃ1−Ｃ3アルキル、−ＣＨ2ＣＨ2ＣＮ、Ｃ1−Ｃ4アルキル−ＣＯ−ＣＨ2ＣＨ2−、ＯＨ−置換Ｃ1−Ｃ4アルキル−ＣＯ−ＣＨ2ＣＨ2−、ＳＨ−置換Ｃ1−Ｃ4アルキル−ＣＯ−ＣＨ2ＣＨ2−、Ｃ2−Ｃ8アルカノイル、ＯＨ−置換Ｃ2−Ｃ8アルカノイル、ＳＨ−置換Ｃ2−Ｃ8アルカノイル又はベンゾイルであり；
Ｒ7は、水素、Ｃ1−Ｃ12アルキル、Ｃ3−Ｃ12アルケニル、シクロヘキシル、ヒドロキシシクロヘキシル；Ｃ1−Ｃ4アルキル（Ｃｌ、Ｂｒ、ＣＮ、ＳＨ、−Ｎ（Ｃ1−Ｃ4アルキル）2、ピペリジニル、モルホリニル、ＯＨ、Ｃ1−Ｃ4アルコキシ、−ＯＣＨ2ＣＨ2ＣＮ、−ＯＣＨ2ＣＨ2ＣＯＯ（Ｃ1−Ｃ4アルキル）、−Ｏ（ＣＯ）Ｒ19、−ＣＯＯＨ、−ＣＯＯ（Ｃ1−Ｃ8アルキル）、−ＣＯＮＨ（Ｃ1−Ｃ4アルキル）、−ＣＯＮ（Ｃ1−Ｃ4アルキル）2、下記式：
【化１０】
2002544205.tif 000010
で示される基、−ＣＯ（Ｃ1−Ｃ4アルキル）又は下記式：
【化１１】
2002544205.tif 000011
で示される基により単置換又は多置換されている）であるか；あるいはＲ7は、２，３−エポキシプロピル、−（ＣＨ2ＣＨ2Ｏ）nＨ；フェニル（非置換であるか、又はハロゲン、Ｃ1−Ｃ4アルキル、Ｃ1−Ｃ4アルコキシ若しくは−ＣＯＯ（Ｃ1−Ｃ4アルキル）により置換されている）であるか；あるいはＲ7は、フェニル−Ｃ1−Ｃ3アルキル、テトラヒドロピラニル、テトラヒドロフラニル、−ＣＯＯＲ19、−ＣＯＯ（Ｃ1−Ｃ8アルキル）、−ＣＯＮＨ（Ｃ1−Ｃ4アルキル）、−ＣＯＮ（Ｃ1−Ｃ8アルキル）2、−Ｓｉ（Ｒ20）（Ｒ21）2又は−ＳＯ2Ｒ22であり；
Ｒ8は、水素、Ｃ1−Ｃ12アルキル、Ｃ3−Ｃ12アルケニル、シクロヘキシル、ヒドロキシシクロヘキシル；Ｃ1−Ｃ4アルキル（Ｃｌ、Ｂｒ、ＣＮ、ＳＨ、−Ｎ（Ｃ1−Ｃ4アルキル）2、ピペリジニル、モルホリニル、ＯＨ、Ｃ1−Ｃ4アルコキシ、−ＯＣＨ2ＣＨ2ＣＮ、−ＯＣＨ2ＣＨ2ＣＯＯ（Ｃ1−Ｃ4アルキル）、−Ｏ（ＣＯ）Ｒ19、−ＣＯＯＨ、−ＣＯＯ（Ｃ1−Ｃ8アルキル）、−ＣＯＮ（Ｃ1−Ｃ4アルキル）2、下記式：
【化１２】
2002544205.tif 000012
で示される基、−ＣＯ（Ｃ1−Ｃ4アルキル）又は下記式：
【化１３】
2002544205.tif 000013
で示される基により単置換又は多置換されている）であるか；あるいはＲ8は、２，３−エポキシプロピル、フェニル−Ｃ1−Ｃ3アルキル、フェニル−Ｃ1−Ｃ3ヒドロキシアルキル；フェニル（非置換であるか、又はハロゲン、ＳＨ、Ｃ1−Ｃ4アルキル、Ｃ1−Ｃ4アルコキシ若しくは−ＣＯＯ（Ｃ1−Ｃ4アルキル）により単置換若しくは多置換されている）であるか；あるいはＲ8は、２−ベンゾチアジル、２−ベンゾイミダゾリル、−ＣＨ2ＣＨ2−Ｏ−ＣＨ2ＣＨ2−ＳＨ又は−ＣＨ2ＣＨ2−Ｓ−ＣＨ2ＣＨ2−ＳＨであり；
Ｒ9及びＲ10は、相互に独立に、水素、Ｃ1−Ｃ12アルキル；Ｃ2−Ｃ4アルキル（ＯＨ、ＳＨ、Ｃ1−Ｃ4アルコキシ、ＣＮ又は−ＣＯＯ（Ｃ1−Ｃ4アルキル）により置換されている）であるか；あるいはＲ9及びＲ10は、相互に独立に、Ｃ3−Ｃ5アルケニル、シクロヘキシル、フェニル−Ｃ1−Ｃ3アルキル；フェニル（非置換であるか、又はＣ1−Ｃ12アルキル若しくはハロゲンにより単置換若しくは多置換されている）であるか；あるいはＲ9及びＲ10は、一緒に、Ｃ2−Ｃ7アルキレン（場合により、−Ｏ−、−Ｓ−、−ＣＯ−又は−Ｎ（Ｒ6）−が割り込んでいる）であり；
Ｒ11及びＲ12は、相互に独立に、直接結合、−ＣＨ2−、−ＣＨ2ＣＨ2−、−Ｏ−、−Ｓ−、−ＣＯ−又は−Ｎ（Ｒ6）−であり（ただし、Ｒ11及びＲ12は、同時に直接結合ではない）；
Ｒ13は、水素、Ｃ1−Ｃ8アルキル又はフェニルであり；
Ｒ14、Ｒ15及びＲ16は、相互に独立に、水素又はＣ1−Ｃ4アルキルであり；
Ｒ17は、水素、Ｃ1−Ｃ8アルキル又はフェニルであり；
Ｒ19は、Ｃ1−Ｃ4アルキル、Ｃ2−Ｃ4アルケニル又はフェニルであり；
Ｒ20及びＲ21は、相互に独立に、Ｃ1−Ｃ4アルキル又はフェニルであり；
Ｒ22は、Ｃ1−Ｃ18アルキル；又はフェニル（非置換であるか、又はＣ1−Ｃ14アルキルにより置換されている）であり；
Ａ1及びＡ2は、相互に独立に、直接結合、−Ｘ〔（ＣＨ2）lＸ′〕q−〔（Ｃ6Ｈ4）oＸ″〕r−、−Ｏ−、−Ｓ−又は−Ｎ（Ｒ6）−であり；
Ｘ、Ｘ′及びＸ″は、相互に独立に、直接結合、−Ｏ−、−Ｓ−、−Ｎ（Ｒ6）−、−Ｏ（ＣＯ）−、−ＣＯＯ−、−ＮＨＣＯ−、−ＣＯＮＨ−又は−ＣＯ−であり；
ｌは、０〜１０の整数であり；
ｑは、０〜５の整数であり；
ｏ及びｒは、相互に独立に、０、１又は２の整数であり；
ＣＴは、ｎが１であるとき、式（IXa）、（IXb）、（Xa）又は（Xb）：
【化１４】
2002544205.tif 000014
で示される基であるか、あるいは
ｎが２であるとき、ＣＴは、式（XI）及び（XII）：
【化１５】
2002544205.tif 000015
で示される基であり；
Ｙは、−Ｗ（Ｒ8）sであり；
Ｙ′は、−Ｗ（Ｒ8）t−Ｒ25−であり；
Ｗは、Ｓ、Ｓｉ、Ｓｅ、Ｐ、Ｂｒ、Ｃｌ、Ｓｎ、−Ｏ−Ｏ−、Ｓ（＝Ｏ）、Ｓ（＝Ｏ）2、又はＰ（＝Ｏ）であり；
Ｚは、−ＣＯＯＲ7、−ＣＯＮＲ9Ｒ10、−ＣＮ、又は−Ａｒであり；
Ｚ′は、−ＣＯＯＲ25−、−ＣＯＮＲ9Ｒ25−、又は−Ａｒ2−であり；
ｓは、０〜３の整数であり；
ｔは、０、１又は２の整数であり；
ｕは、０又は１であり；
Ｒ23及びＲ24は、相互に独立に、水素、又はＣ1−Ｃ8アルキルであるか；あるいはＲ23及びＲ24は、一緒に、Ｃ5−Ｃ7シクロアルキルであり；そして
Ｒ25は、直接結合、Ｃ1−Ｃ4アルキレン又はフェニレンである〕で示される化合物。
【請求項２】  ＰＩが、式（IIa）の基であり；
Ａｒ2が、下記式：
【化１６】
2002544205.tif 000016
（非置換であるか、又は１〜４個のハロゲン、Ｃ1−Ｃ12アルキル、若しくは−ＯＲ7により、置換されている）で示される基であり；
Ｒ1及びＲ2が、相互に独立に、Ｃ1−Ｃ8アルキル（非置換であるか、又はＯＨ、若しくはＣ1−Ｃ4アルコキシにより置換されている）であるか；あるいはＲ1及びＲ2が、相互に独立に、Ｃ3−Ｃ6アルケニル、フェニル、クロロフェニル、又はフェニル−Ｃ1−Ｃ3−アルキルであるか、あるいはＲ1及びＲ2が、相互に独立に、式（VII）又は（VIII）のラジカルであり；
Ａｒ3が、フェニルであり；
Ｍ1が、−ＮＲ3Ｒ4であり；
Ｒ3が、水素、Ｃ1−Ｃ12アルキルであるか；あるいはＲ3が、Ｃ3−Ｃ5アルケニル、Ｃ5−Ｃ12シクロアルキル又はフェニル−Ｃ1−Ｃ3アルキルであり；
Ｒ4が、Ｃ1−Ｃ12アルキルであるか；あるいはＲ3及びＲ4が、一緒に、Ｃ3−Ｃ7アルキレン（場合により、−Ｏ−が割り込んでいる）であり；
Ｒ7が、水素、又はＣ1−Ｃ12アルキルであり；
Ｒ13、Ｒ14、Ｒ15及びＲ16が、水素であり；
Ａ1が、直接結合、−Ｘ〔（ＣＨ2）lＸ′〕q−〔（Ｃ6Ｈ4）oＸ″〕r−、−Ｏ−、−Ｓ−又は−Ｎ（Ｒ6）−であり；
Ｒ6が、水素又はＣ1−Ｃ12アルキルであり；
Ｘ、Ｘ′及びＸ″が、相互に独立に、直接結合、−Ｏ−、−Ｓ−、又は−Ｎ（Ｒ6）−であり；
ｌが、０〜４の整数であり；
ｑが、０又は１の整数であり；
ＣＴが、ｎが１であるとき、式（IXa）又は（IXb）の基であるか、あるいは
ｎが２であるとき、ＣＴが、式（XI）の基であり；
Ｙが、−Ｗ（Ｒ8）sであり；
Ｙ′が、−Ｗ（Ｒ8）tＲ25−であり；
Ｗが、Ｓであり；
Ｒ8が、水素又はＣ1−Ｃ12アルキルであり；
Ｚが、−ＣＯＯＲ7、−ＣＯＮＲ9Ｒ10、又は−Ａｒであり；
Ｒ9及びＲ10が、相互に独立に、水素又はＣ1−Ｃ12アルキルであり；
Ａｒが、フェニルであり；
Ｚ′が、−ＣＯＯＲ25−又は−ＣＯＮＲ9Ｒ25−であり；
ｕ及びｔが、０であり；
ｓが、１であり；
Ｒ23及びＲ24が、水素であり；そして
Ｒ25が、直接結合又はＣ1−Ｃ4アルキレンである、請求項１記載の化合物。
【請求項３】  モノマー、及び請求項１記載の式（Ia）又は（Ib）の光開始剤化合物を熱重合することにより得られる、マクロ光開始剤。
【請求項４】  モノマーが、式（XIII）：
【化１７】
2002544205.tif 000017
〔式中、
Ｘ1は、−ＣＮ、−ＯＳｉ（Ｒ26）3、−Ｒ27、−ＯＲ28、−ＳＲ28、−ＮＲ29Ｒ30、又は下記式：
【化１８】
2002544205.tif 000018
で示される基であるか；あるいはＸ1は、フェニル又はベンジル（それぞれは、非置換であるか、又はハロゲン、Ｃ1−Ｃ12アルキル、Ｃ1−Ｃ12アルコキシ、Ｃ3−Ｃ8シクロアルキル、−ＣＯＯＨ、−ＣＯＯ（Ｃ1−Ｃ12アルキル）、−Ｏ（ＣＯ）Ｏ（Ｃ1−Ｃ12アルキル）、テトラヒドロピラニルオキシ、テトラヒドロフラニルオキシ、若しくはテトラヒドロフルフリルオキシにより置換されている）であり；
Ｙ1、Ｙ2及びＹ3は、相互に独立に、水素、Ｃ1−Ｃ4アルキル、ハロゲン、−ＣＮ又は−ＣＯＯＲ7であるか；あるいはＹ1及びＹ3は、一緒に、Ｃ3−Ｃ7アルキレン（場合により、−Ｏ−、−Ｓ−、−ＣＯ−又は−Ｎ（Ｒ6）−が割り込んでおり、かつこのＣ3−Ｃ7アルキレンは、非置換であるか、又はＯＨ、Ｃ1−Ｃ4アルコキシ若しくは−ＣＯＯ（Ｃ1−Ｃ4アルキル）により置換されている）であり；
Ｘ2は、−ＯＳｉ（Ｒ26）3、−Ｒ27、−ＯＲ28、−ＳＲ28、−ＮＲ29Ｒ30であり；
Ｒ26は、相互に独立に、水素；Ｃ1−Ｃ20アルキル、Ｃ3−Ｃ12−アルケニル、Ｃ3−Ｃ8シクロアルキル、Ｃ4−Ｃ8シクロアルケニル（それぞれは、非置換であるか、又はＦ、Ｃｌ、Ｂｒ、ＣＮ、−Ｎ（Ｃ1−Ｃ4アルキル）2、ピペリジノ、モルホリノ、ＯＨ、Ｃ1−Ｃ4アルコキシ、−ＯＣＨ2ＣＨ2ＣＮ、−ＯＣＨ2ＣＨ2ＣＯＯ（Ｃ1−Ｃ4アルキル）、−Ｏ（ＣＯ）Ｒ19、−ＣＯＯＨ、−ＣＯＯ（Ｃ1−Ｃ8アルキル）、−ＣＯＮＨ（Ｃ1−Ｃ4アルキル）、−ＣＯＮ（Ｃ1−Ｃ4アルキル）2、−ＣＯ（Ｃ1−Ｃ4アルキル）若しくは下記式：
【化１９】
2002544205.tif 000019
で示される基により単置換若しくは多置換されている）であるか；あるいは
Ｒ26は、２，３−エポキシプロピル、−（ＣＨ2ＣＨ2Ｏ）mＨ又は−（ＣＨ2ＣＨ2Ｏ）mＲ19であるか；あるいは
Ｒ26は、フェニル、ピリジニル、ビフェニリル又はベンゾイルフェニル（それぞれは、非置換であるか、又はハロゲン、Ｃ1−Ｃ12アルキル、Ｃ1−Ｃ12アルコキシ、Ｃ3−Ｃ8シクロアルキル、−ＣＯＯＨ、若しくは−ＣＯＯ（Ｃ1−Ｃ12アルキル）により単置換若しくは多置換されている）であるか；あるいはＲ26は、フェニル−Ｃ1−Ｃ3アルキル、ＯＲ7、−ＮＲ9Ｒ10、又は−ＮＨＣＯＲ9であり；
Ｒ27は、水素；Ｃ1−Ｃ20アルキル、Ｃ3−Ｃ12−アルケニル、Ｃ3−Ｃ8シクロアルキル、Ｃ4−Ｃ8シクロアルケニル（それぞれは、非置換であるか、又はＦ、Ｃｌ、Ｂｒ、ＣＮ、−Ｎ（Ｃ1−Ｃ4アルキル）2、フェニル、フェノキシ、ピペリジノ、モルホリノ、ＯＨ、Ｃ1−Ｃ4アルコキシ、−ＯＣＨ2ＣＨ2ＣＮ、−ＯＣＨ2ＣＨ2ＣＯＯ（Ｃ1−Ｃ4アルキル）、−Ｏ（ＣＯ）Ｒ19、−ＣＯＯＨ、−ＣＯＯ（Ｃ1−Ｃ8アルキル）、−ＣＯＮＨ（Ｃ1−Ｃ4アルキル）、−ＣＯＮ（Ｃ1−Ｃ4アルキル）2、−ＣＯ（Ｃ1−Ｃ4アルキル）若しくは下記式：
【化２０】
2002544205.tif 000020
で示される基により単置換若しくは多置換されている）であるか；あるいは
Ｒ27は、２，３−エポキシプロピル、又は−（ＣＨ2ＣＨ2Ｏ）mＨであるか；あるいは
Ｒ27は、フェニル、ピリジニル、ビフェニリル、ベンジル又はベンゾイルフェニル（それぞれは、非置換であるか、又はハロゲン、Ｃ1−Ｃ12アルキル、Ｃ1−Ｃ12アルコキシ、Ｃ3−Ｃ8シクロアルキル、−ＣＯＯＨ、−ＣＯＯ（Ｃ1−Ｃ12アルキル）、−Ｏ（ＣＯ）Ｏ（Ｃ1−Ｃ12アルキル）、テトラヒドロピラニルオキシ、テトラヒドロフラニルオキシ、若しくはテトラヒドロフルフリルオキシにより単置換若しくは多置換されている）であるか；あるいは
Ｒ27は、フェニル−Ｃ1−Ｃ3アルキル、テトラヒドロピラニル、テトラヒドロフラニル、アダマンチル、カンホリル（camphoryl）であり；かつ場合によりＲ27は、１つ以上の式：
【化２１】
2002544205.tif 000021
で示される反応性置換基を含み；
Ｒ28は、水素；Ｃ1−Ｃ20アルキル、Ｃ3−Ｃ12−アルケニル、Ｃ3−Ｃ8シクロアルキル、Ｃ4−Ｃ8シクロアルケニル（それぞれは、非置換であるか、又はＦ、Ｃｌ、Ｂｒ、ＣＮ、−Ｎ（Ｃ1−Ｃ4アルキル）2、フェニル、フェノキシ、ピペリジノ、モルホリノ、ＯＨ、Ｃ1−Ｃ4アルコキシ、−ＯＣＨ2ＣＨ2ＣＮ、−ＯＣＨ2ＣＨ2ＣＯＯ（Ｃ1−Ｃ4アルキル）、−Ｏ（ＣＯ）Ｒ19、−ＣＯＯＨ、−ＣＯＯ（Ｃ1−Ｃ8アルキル）、−ＣＯＮＨ（Ｃ1−Ｃ4アルキル）、−ＣＯＮ（Ｃ1−Ｃ4アルキル）2、−ＣＯ（Ｃ1−Ｃ4アルキル）若しくは下記式：
【化２２】
2002544205.tif 000022
で示される基により単置換若しくは多置換されている）であるか；あるいは
Ｒ28は、２，３−エポキシプロピル、又は−（ＣＨ2ＣＨ2Ｏ）mＨであるか；あるいは
Ｒ28は、フェニル、ピリジニル、ビフェニリル、ベンジル又はベンゾイルフェニル（それぞれは、非置換であるか、又はハロゲン、Ｃ1−Ｃ12アルキル、Ｃ1−Ｃ12アルコキシ、Ｃ3−Ｃ8シクロアルキル、−ＣＯＯＨ、−ＣＯＯ（Ｃ1−Ｃ12アルキル）、−Ｏ（ＣＯ）Ｏ（Ｃ1−Ｃ12アルキル）、テトラヒドロピラニルオキシ、テトラヒドロフラニルオキシ、若しくはテトラヒドロフルフリルオキシにより単置換若しくは多置換されている）であるか；あるいは
Ｒ28は、フェニル−Ｃ1−Ｃ3アルキル、テトラヒドロピラニル、テトラヒドロフラニル、アダマンチル、カンホリルであり；かつ場合によりＲ28は、１つ以上の式：
【化２３】
2002544205.tif 000023
で示される反応性置換基を含み；
Ｒ29及びＲ30は、相互に独立に、水素；Ｃ1−Ｃ12アルキル、又はＣ2−Ｃ4アルキル（それぞれは、ＯＨ、Ｃ1−Ｃ4アルコキシ、ＣＮ又は−ＣＯＯ（Ｃ1−Ｃ4アルキル）により置換されている）であるか；あるいは
Ｒ29及びＲ30は、相互に独立に、Ｃ3−Ｃ5アルケニル、シクロヘキシル、フェニル−Ｃ1−Ｃ3アルキル、アダマンチル、カンホリル、非置換フェニル又はフェニル（Ｃ1−Ｃ12アルキル又はハロゲンにより単置換又は多置換されている）であるか；あるいは
Ｒ29及びＲ30は、一緒に、Ｃ2−Ｃ7アルキレン（場合により、−Ｏ−、−Ｓ−又は−Ｎ（Ｒ6）−が割り込んでいる）であり；
Ｙ4は、水素又はＣＨ3であり；
Ｚ1は、−Ｏ−又は−Ｎ（Ｒ28）−であり；
Ｒ6は、水素、Ｃ1−Ｃ12アルキル、ＯＨ−置換Ｃ1−Ｃ12アルキル、ＳＨ−置換Ｃ1−Ｃ12アルキル又はＨＳ−（ＣＨ2）n−ＣＯＯ−置換Ｃ1−Ｃ12アルキル；Ｃ2−Ｃ12アルキル（−Ｏ−、−ＮＨ−又は−Ｓ−が割り込んでいる）であるか；あるいは
Ｒ6は、Ｃ3−Ｃ5アルケニル、フェニル−Ｃ1−Ｃ3−アルキル、−ＣＨ2ＣＨ2ＣＮ、Ｃ1−Ｃ4アルキル−ＣＯ−ＣＨ2ＣＨ2−、ＯＨ−置換Ｃ1−Ｃ4アルキル−ＣＯ−ＣＨ2ＣＨ2−、ＳＨ−置換Ｃ1−Ｃ4アルキル−ＣＯ−ＣＨ2ＣＨ2−、Ｃ2−Ｃ8アルカノイル、ＯＨ−置換Ｃ2−Ｃ8アルカノイル、ＳＨ−置換Ｃ2−Ｃ8アルカノイル又はベンゾイルであり；そして
ｎは、１又は２である〕で示される、請求項３記載のマクロ光開始剤。
【請求項５】  式（XIV）：
【化２５】
2002544205.tif 000024
〔式中、
ｎは、１又は２であり；
ＰＩは、光開始剤部分であり；
ＣＴ1は、−Ｙ′−、−Ｒ25−、下記式：
【化２６】
2002544205.tif 000025
で示される基であり；
ｕは、０又は１であり；
Ｊは、ポリマー基であり；
Ａ1は、直接結合、−Ｘ〔（ＣＨ2）lＸ′〕q−〔（Ｃ6Ｈ4）oＸ″〕r−、−Ｏ−、−Ｓ−又は−Ｎ（Ｒ6）−であり；
Ｘ、Ｘ′及びＸ″は、相互に独立に、直接結合、−Ｏ−、−Ｓ−、−Ｎ（Ｒ6）−、−Ｏ（ＣＯ）−、−ＣＯＯ−、−ＮＨＣＯ−、−ＣＯＮＨ−又は−ＣＯ−であり；
ｌは、０〜１０の整数であり；
ｑは、０〜５の整数であり；
ｏ及びｒは、相互に独立に、０、１又は２の整数であり；
Ｚ′は、−ＣＯＯＲ25−、−ＣＯＮＲ9Ｒ25−、又は−Ａｒ2−であり；
Ｙ′は、−Ｗ（Ｒ8）t−Ｒ25−であり；
ｔは、０、１又は２の整数であり；
Ｗは、Ｓ、Ｓｉ、Ｓｅ、Ｐ、Ｂｒ、Ｃｌ、Ｓｎ、−Ｏ−Ｏ−、Ｓ（＝Ｏ）、Ｓ（＝Ｏ）2、又はＰ（＝Ｏ）であり；
Ａｒ2は、下記式：
【化２７】
2002544205.tif 000026
（それぞれは、非置換であるか、又はハロゲン、Ｃ1−Ｃ12アルキル、Ｃ3−Ｃ12アルケニル、Ｃ5−Ｃ6シクロアルキル、フェニル−Ｃ1−Ｃ3アルキル、−ＣＯＯＨ、−ＣＯＯ（Ｃ1−Ｃ4アルキル）、−ＯＲ7、−ＳＲ8、−ＳＯＲ8、−ＳＯ2Ｒ8、−ＣＮ、−ＳＯ2ＮＨ2、−ＳＯ2ＮＨ（Ｃ1−Ｃ4アルキル）、−ＳＯ2−Ｎ（Ｃ1−Ｃ4アルキル）2、−ＮＲ9Ｒ10、−ＮＨＣＯＲ9、若しくは式（IV）：
【化２８】
2002544205.tif 000027
で示される１〜５個の基により、置換されている）で示される基であるか；あるいは
Ａｒ2は、式（Va）又は（VIa）：
【化２９】
2002544205.tif 000028
で示される基であり；
Ｇは、非分岐又は分岐のＣ1−Ｃ7アルキレンであり；
Ｌ及びＥは、相互に独立に、直接結合、−Ｏ−、−Ｓ−又は−Ｎ（Ｒ6）−であり（ただし、Ｌ及びＥは、両方が同時に直接結合ではない）；
Ｒ1及びＲ2は、相互に独立に、Ｒ7Ｏ−、Ｃ1−Ｃ8アルキル（非置換であるか、又はＯＨ、Ｃ1−Ｃ4アルコキシ、ＳＲ8、ＣＮ、（Ｃ1−Ｃ8アルキル）Ｏ（ＣＯ）−、（Ｃ1−Ｃ4アルキル）−（ＯＣ）Ｏ−若しくは−Ｎ（Ｒ3）（Ｒ4）により置換されている）であるか；あるいはＲ1及びＲ2は、相互に独立に、Ｃ3−Ｃ6アルケニル、フェニル、クロロフェニル、Ｒ7−Ｏ−フェニル、Ｒ8−Ｓ−フェニル又はフェニル−Ｃ1−Ｃ3−アルキルであるか、あるいはＲ1及びＲ2は、一緒に、非分岐又は分岐のＣ2−Ｃ9アルキレン、Ｃ3−Ｃ9オキサアルキレン又はＣ3−Ｃ9アザアルキレンであるか、あるいはＲ1及びＲ2は、相互に独立に、式（VII）又は（VIII）：
【化３０】
2002544205.tif 000029
で示されるラジカルであり；
Ａｒ3は、フェニル、ナフチル、フリル、チエニル又はピリジル（それぞれは、非置換であるか、又はハロゲン、ＳＨ、ＯＨ、Ｃ1−Ｃ12アルキル、ＯＨ−置換Ｃ1−Ｃ4アルキル、ハロゲン−置換Ｃ1−Ｃ4アルキル、ＳＨ−置換Ｃ1−Ｃ4アルキル、Ｎ（Ｒ17）2−置換Ｃ1−Ｃ4アルキル、Ｃ1−Ｃ12アルコキシ−置換Ｃ1−Ｃ4アルキル、（Ｃ1−Ｃ18アルキル）Ｏ（ＯＣ）−置換Ｃ1−Ｃ4アルキル、ＣＨ3Ｏ（ＣＨ2ＣＨ2Ｏ）mＣＯ−置換Ｃ1−Ｃ4アルキル、（Ｃ1−Ｃ4アルキル）（ＯＣ）Ｏ−置換Ｃ1−Ｃ4アルキル、Ｃ1−Ｃ12アルコキシ、（Ｃ1−Ｃ18アルキル）（ＯＣ）Ｏ−置換Ｃ1−Ｃ4アルコキシ、ＣＨ3Ｏ（ＣＨ2ＣＨ2Ｏ）mＣＯ−置換Ｃ1−Ｃ4アルコキシ、−（ＯＣＨ2ＣＨ2）mＯＨ、−（ＯＣＨ2ＣＨ2）mＯＣＨ3、Ｃ1−Ｃ8アルキルチオ、フェノキシ、−ＣＯＯ（Ｃ1−Ｃ18アルキル）、−ＣＯ（ＯＣＨ2ＣＨ2）mＯＣＨ3、フェニル若しくはベンゾイルにより置換されている）であり；
ｍは、１〜２０であり；
Ｒ3は、水素、Ｃ1−Ｃ12アルキル、Ｃ2−Ｃ4アルキル（ＯＨ、ＳＨ、Ｃ1−Ｃ4アルコキシ、ＣＮ又は−ＣＯＯ（Ｃ1−Ｃ4アルキル）により置換されている）であるか；あるいはＲ3は、Ｃ3−Ｃ5アルケニル、Ｃ5−Ｃ12−シクロアルキル又はフェニル−Ｃ1−Ｃ3アルキルであり；
Ｒ4は、Ｃ1−Ｃ12アルキル；Ｃ2−Ｃ4アルキル（ＯＨ、ＳＨ、Ｃ1−Ｃ4アルコキシ、ＣＮ又は−ＣＯＯ（Ｃ1−Ｃ4アルキル）により置換されている）であるか；あるいはＲ4は、Ｃ3−Ｃ5アルケニル、Ｃ5−Ｃ12−シクロアルキル、フェニル−Ｃ1−Ｃ3アルキル；フェニル（非置換であるか、又はハロゲン、Ｃ1−Ｃ12アルキル、Ｃ1−Ｃ4アルコキシ若しくは−ＣＯＯ（Ｃ1−Ｃ4アルキル）により置換されている）であるか；あるいは
Ｒ4は、Ｒ2と一緒に、Ｃ1−Ｃ7アルキレン、フェニル−Ｃ1−Ｃ4アルキレン、ｏ−キシリレン、２−ブテニレン、Ｃ2−Ｃ3オキサアルキレン又はＣ2−Ｃ3アザアルキレンであるか；あるいは
Ｒ3及びＲ4は、一緒に、Ｃ3−Ｃ7アルキレン（場合により、−Ｏ−、−Ｓ−、−ＣＯ−又は−Ｎ（Ｒ6）−が割り込んでおり、かつこのＣ3−Ｃ7アルキレンは、非置換であるか、又はＯＨ、ＳＨ、Ｃ1−Ｃ4アルコキシ若しくは−ＣＯＯ（Ｃ1−Ｃ4アルキル）により置換されている）であり；
Ｒ6は、水素、Ｃ1−Ｃ12アルキル、ＯＨ−置換Ｃ1−Ｃ12アルキル、ＳＨ−置換Ｃ1−Ｃ12アルキル又はＨＳ−（ＣＨ2）n−ＣＯＯ−置換Ｃ1−Ｃ12アルキル；Ｃ2−Ｃ12アルキル（−Ｏ−、−ＮＨ−又は−Ｓ−が割り込んでいる）であるか；あるいは
Ｒ6は、Ｃ3−Ｃ5アルケニル、フェニル−Ｃ1−Ｃ3アルキル、−ＣＨ2ＣＨ2ＣＮ、Ｃ1−Ｃ4アルキル−ＣＯ−ＣＨ2ＣＨ2−、ＯＨ−置換Ｃ1−Ｃ4アルキル−ＣＯ−ＣＨ2ＣＨ2−、ＳＨ−置換Ｃ1−Ｃ4アルキル−ＣＯ−ＣＨ2ＣＨ2−、Ｃ2−Ｃ8アルカノイル、ＯＨ−置換Ｃ2−Ｃ8アルカノイル、ＳＨ−置換Ｃ2−Ｃ8アルカノイル又はベンゾイルであり；
Ｒ7は、水素、Ｃ1−Ｃ12アルキル、Ｃ3−Ｃ12−アルケニル、シクロヘキシル、ヒドロキシシクロヘキシル；Ｃ1−Ｃ4アルキル（Ｃｌ、Ｂｒ、ＣＮ、ＳＨ、−Ｎ（Ｃ1−Ｃ4アルキル）2、ピペリジニル、モルホリニル、ＯＨ、Ｃ1−Ｃ4アルコキシ、−ＯＣＨ2ＣＨ2ＣＮ、−ＯＣＨ2ＣＨ2ＣＯＯ（Ｃ1−Ｃ4アルキル）、−Ｏ（ＣＯ）Ｒ19、−ＣＯＯＨ、−ＣＯＯ（Ｃ1−Ｃ8アルキル）、−ＣＯＮＨ（Ｃ1−Ｃ4アルキル）、−ＣＯＮ（Ｃ1−Ｃ4アルキル）2、下記式：
【化３１】
2002544205.tif 000030
で示される基、−ＣＯ（Ｃ1−Ｃ4アルキル）又は下記式：
【化３２】
2002544205.tif 000031
で示される基により単置換又は多置換されている）であるか；あるいはＲ7は、２，３−エポキシプロピル、−（ＣＨ2ＣＨ2Ｏ）nＨ；フェニル（非置換であるか、又はハロゲン、Ｃ1−Ｃ4アルキル、Ｃ1−Ｃ4アルコキシ若しくは−ＣＯＯ（Ｃ1−Ｃ4アルキル）により置換されている）であるか；あるいはＲ7は、フェニル−Ｃ1−Ｃ3アルキル、テトラヒドロピラニル、テトラヒドロフラニル、−ＣＯＯＲ19、−ＣＯＯ（Ｃ1−Ｃ8アルキル）、−ＣＯＮＨ（Ｃ1−Ｃ4アルキル）、−ＣＯＮ（Ｃ1−Ｃ8アルキル）2、−Ｓｉ（Ｒ20）（Ｒ21）2又は−ＳＯ2Ｒ22であり；
Ｒ8は、水素、Ｃ1−Ｃ12アルキル、Ｃ3−Ｃ12アルケニル、シクロヘキシル、ヒドロキシシクロヘキシル；Ｃ1−Ｃ4アルキル（Ｃｌ、Ｂｒ、ＣＮ、ＳＨ、−Ｎ（Ｃ1−Ｃ4アルキル）2、ピペリジニル、モルホリニル、ＯＨ、Ｃ1−Ｃ4アルコキシ、−ＯＣＨ2ＣＨ2ＣＮ、−ＯＣＨ2ＣＨ2ＣＯＯ（Ｃ1−Ｃ4アルキル）、−Ｏ（ＣＯ）Ｒ19、−ＣＯＯＨ、−ＣＯＯ（Ｃ1−Ｃ8アルキル）、−ＣＯＮ（Ｃ1−Ｃ4アルキル）2、下記式：
【化３３】
2002544205.tif 000032
で示される基、−ＣＯ（Ｃ1−Ｃ4アルキル）又は下記式：
【化３４】
2002544205.tif 000033
で示される基により単置換又は多置換されている）であるか；あるいはＲ8は、２，３−エポキシプロピル、フェニル−Ｃ1−Ｃ3アルキル、フェニル−Ｃ1−Ｃ3ヒドロキシアルキル；フェニル（非置換であるか、又はハロゲン、ＳＨ、Ｃ1−Ｃ4アルキル、Ｃ1−Ｃ4アルコキシ若しくは−ＣＯＯ（Ｃ1−Ｃ4アルキル）により単置換若しくは多置換されている）であるか；あるいはＲ8は、２−ベンゾチアジル、２−ベンゾイミダゾリル、−ＣＨ2ＣＨ2−Ｏ−ＣＨ2ＣＨ2−ＳＨ又は−ＣＨ2ＣＨ2−Ｓ−ＣＨ2ＣＨ2−ＳＨであり；
Ｒ9及びＲ10は、相互に独立に、水素、Ｃ1−Ｃ12アルキル；Ｃ2−Ｃ4アルキル（ＯＨ、ＳＨ、Ｃ1−Ｃ4アルコキシ、ＣＮ又は−ＣＯＯ（Ｃ1−Ｃ4アルキル）により置換されている）であるか；あるいはＲ9及びＲ10は、相互に独立に、Ｃ3−Ｃ5アルケニル、シクロヘキシル、フェニル−Ｃ1−Ｃ3アルキル；フェニル（非置換であるか、又はＣ1−Ｃ12アルキル若しくはハロゲンにより単置換若しくは多置換されている）であるか；あるいはＲ9及びＲ10は、一緒に、Ｃ2−Ｃ7アルキレン（場合により、−Ｏ−、−Ｓ−又は−Ｎ（Ｒ6）−が割り込んでいる）であり；
Ｒ11及びＲ12は、相互に独立に、直接結合、−ＣＨ2−、−ＣＨ2ＣＨ2−、−Ｏ−、−Ｓ−、−ＣＯ−又は−Ｎ（Ｒ6）−であり（ただし、Ｒ11及びＲ12は、同時に直接結合ではない）；
Ｒ13は、水素、Ｃ1−Ｃ8アルキル又はフェニルであり；
Ｒ14、Ｒ15及びＲ16は、相互に独立に、水素又はＣ1−Ｃ4アルキルであり；
Ｒ17は、水素、Ｃ1−Ｃ8アルキル又はフェニルであり；
Ｒ19は、Ｃ1−Ｃ4アルキル、Ｃ2−Ｃ4アルケニル又はフェニルであり；
Ｒ20及びＲ21は、相互に独立に、Ｃ1−Ｃ4アルキル又はフェニルであり；
Ｒ22は、Ｃ1−Ｃ18アルキル；又はフェニル（非置換であるか、又はＣ1−Ｃ14アルキルにより置換されている）であり；
Ｒ23及びＲ24は、相互に独立に、水素、又はＣ1−Ｃ8アルキルであるか；あるいはＲ23及びＲ24は、一緒に、Ｃ5−Ｃ7シクロアルキルであり；そして
Ｒ25は、直接結合、Ｃ1−Ｃ4アルキレン又はフェニレンである〕で示される、請求項３記載のマクロ光開始剤。
【請求項６】  連鎖移動基を含む光開始剤を、モノマーと熱重合することを特徴とする、請求項５記載のマクロ光開始剤の製造方法。
【請求項７】  連鎖移動基としての、請求項１記載の式（Ia）又は（Ib）の光開始剤。
【請求項８】  着色及び非着色塗料及びワニスの製造のための、透明及び着色された水性分散液、粉体塗料、印刷インキ、印刷版、接着剤、歯科用充填組成物、導波管、光学スイッチ、着色加工システム、ガラス繊維ケーブル被覆、スクリーン印刷型、レジスト材料、複合材料組成物の製造のための、写真複写のための、スクリーン印刷用マスクの製造のための、プリント電子回路用ホトレジストのための、電気及び電子部品の封入のための、磁気記録材料の製造のための、立体リソグラフィー又はバルク硬化による三次元物体の製造のための、並びに特にホログラフィック記録用の、画像記録材料としての、請求項３記載のマクロ光開始剤。
【請求項９】  （Ａ）少なくとも１つのエチレン不飽和光重合可能組成物、及び
（Ｂ）少なくとも１つの請求項３記載のマクロ光開始剤
を含むことを特徴とする、光重合性組成物。
【請求項１０】  成分（Ｂ）に加えて、少なくとも１つの別の光開始剤（Ｃ）、及び／又は別の共働開始剤（Ｄ）及び／又は他の添加剤（Ｅ）を含むことを特徴とする、請求項９記載の光重合性組成物。
【請求項１１】  請求項３記載の式（XIII）のモノマー、及び請求項４記載のマクロ光開始剤を光重合することにより得られる、ブロックコポリマー。
【請求項１２】  式（XV）：
【化３８】
2002544205.tif 000034
〔式中、
ｎは、１又は２であり；
Ａｒ2は、下記式：
【化３９】
2002544205.tif 000035
（それぞれは、非置換であるか、又は１〜５個のハロゲン、Ｃ1−Ｃ12アルキル、Ｃ3−Ｃ12アルケニル、Ｃ5−Ｃ6シクロアルキル、フェニル−Ｃ1−Ｃ3アルキル、−ＣＯＯＨ、−ＣＯＯ（Ｃ1−Ｃ4アルキル）、−ＯＲ7、−ＳＲ8、−ＳＯＲ8、−ＳＯ2Ｒ8、−ＣＮ、−ＳＯ2ＮＨ2、−ＳＯ2ＮＨ（Ｃ1−Ｃ4アルキル）、−ＳＯ2−Ｎ（Ｃ1−Ｃ4アルキル）2、−ＮＲ9Ｒ10、−ＮＨＣＯＲ9、若しくは式（IV）：
【化４０】
2002544205.tif 000036
で示される基により、置換されている）で示される基であるか；あるいは
Ａｒ2は、式（Va）又は（VIa）：
【化４１】
2002544205.tif 000037
で示される基であり；
Ｇは、非分岐又は分岐のＣ1−Ｃ7アルキレンであり；
Ｌ及びＥは、相互に独立に、直接結合、−Ｏ−、−Ｓ−又は−Ｎ（Ｒ6）−であり（ただし、Ｌ及びＥは、両方が同時に直接結合ではない）；
Ｒ1及びＲ2は、相互に独立に、Ｒ7Ｏ−、Ｃ1−Ｃ8アルキル（非置換であるか、又はＯＨ、Ｃ1−Ｃ4アルコキシ、ＳＲ8、ＣＮ、（Ｃ1−Ｃ8アルキル）Ｏ（ＣＯ）−、（Ｃ1−Ｃ4アルキル）−（ＯＣ）Ｏ−若しくは−Ｎ（Ｒ3）（Ｒ4）により置換されている）であるか；あるいはＲ1及びＲ2は、相互に独立に、Ｃ3−Ｃ6アルケニル、フェニル、クロロフェニル、Ｒ7−Ｏ−フェニル、Ｒ8−Ｓ−フェニル又はフェニル−Ｃ1−Ｃ3−アルキルであるか、あるいはＲ1及びＲ2は、一緒に、非分岐又は分岐のＣ2−Ｃ9アルキレン、Ｃ3−Ｃ9オキサアルキレン又はＣ3−Ｃ9アザアルキレンであるか、あるいはＲ1及びＲ2は、相互に独立に、式（VII）又は（VIII）：
【化４２】
2002544205.tif 000038
で示されるラジカルであり；
ｐは、０又は１であり；
Ａｒ3は、フェニル、ナフチル、フリル、チエニル又はピリジル（それぞれは、非置換であるか、又はハロゲン、ＳＨ、ＯＨ、Ｃ1−Ｃ12アルキル、ＯＨ−置換Ｃ1−Ｃ4アルキル、ハロゲン−置換Ｃ1−Ｃ4アルキル、ＳＨ−置換Ｃ1−Ｃ4アルキル、Ｎ（Ｒ17）2−置換Ｃ1−Ｃ4アルキル、Ｃ1−Ｃ12アルコキシ−置換Ｃ1−Ｃ4アルキル、（Ｃ1−Ｃ18アルキル）Ｏ（ＯＣ）−置換Ｃ1−Ｃ4アルキル、ＣＨ3Ｏ（ＣＨ2ＣＨ2Ｏ）mＣＯ−置換Ｃ1−Ｃ4アルキル、（Ｃ1−Ｃ4アルキル）（ＯＣ）Ｏ−置換Ｃ1−Ｃ4アルキル、Ｃ1−Ｃ12アルコキシ、（Ｃ1−Ｃ18アルキル）（ＯＣ）Ｏ−置換Ｃ1−Ｃ4アルコキシ、ＣＨ3Ｏ（ＣＨ2ＣＨ2Ｏ）mＣＯ−置換Ｃ1−Ｃ4アルコキシ、−（ＯＣＨ2ＣＨ2）mＯＨ、−（ＯＣＨ2ＣＨ2）mＯＣＨ3、Ｃ1−Ｃ8アルキルチオ、フェノキシ、−ＣＯＯ（Ｃ1−Ｃ18アルキル）、−ＣＯ（ＯＣＨ2ＣＨ2）mＯＣＨ3、フェニル若しくはベンゾイルにより置換されている）であり；
ｍは、１〜２０であり；
Ｒ3は、水素、Ｃ1−Ｃ12アルキル、Ｃ2−Ｃ4アルキル（ＯＨ、ＳＨ、Ｃ1−Ｃ4アルコキシ、ＣＮ又は−ＣＯＯ（Ｃ1−Ｃ4アルキル）により置換されている）であるか；あるいはＲ3は、Ｃ3−Ｃ5アルケニル、Ｃ5−Ｃ12−シクロアルキル又はフェニル−Ｃ1−Ｃ3アルキルであり；
Ｒ4は、Ｃ1−Ｃ12アルキル；Ｃ2−Ｃ4アルキル（ＯＨ、ＳＨ、Ｃ1−Ｃ4アルコキシ、ＣＮ又は−ＣＯＯ（Ｃ1−Ｃ4アルキル）により置換されている）であるか；あるいはＲ4は、Ｃ3−Ｃ5アルケニル、Ｃ5−Ｃ12−シクロアルキル、フェニル−Ｃ1−Ｃ3アルキル；フェニル（非置換であるか、又はハロゲン、Ｃ1−Ｃ12アルキル、Ｃ1−Ｃ4アルコキシ若しくは−ＣＯＯ（Ｃ1−Ｃ4アルキル）により置換されている）であるか；あるいは
Ｒ4は、Ｒ2と一緒に、Ｃ1−Ｃ7アルキレン、フェニル−Ｃ1−Ｃ4アルキレン、ｏ−キシリレン、２−ブテニレン、Ｃ2−Ｃ3オキサアルキレン又はＣ2−Ｃ3アザアルキレンであるか；あるいは
Ｒ3及びＲ4は、一緒に、Ｃ3−Ｃ7アルキレン（場合により、−Ｏ−、−Ｓ−、−ＣＯ−又は−Ｎ（Ｒ6）−が割り込んでおり、かつこのＣ3−Ｃ7アルキレンは、非置換であるか、又はＯＨ、ＳＨ、Ｃ1−Ｃ4アルコキシ若しくは−ＣＯＯ（Ｃ1−Ｃ4アルキル）により置換されている）であり；
Ｒ6は、水素、Ｃ1−Ｃ12アルキル、ＯＨ−置換Ｃ1−Ｃ12アルキル、ＳＨ−置換Ｃ1−Ｃ12アルキル又はＨＳ−（ＣＨ2）n−ＣＯＯ−置換Ｃ1−Ｃ12アルキル；Ｃ2−Ｃ12アルキル（−Ｏ−、−ＮＨ−又は−Ｓ−が割り込んでいる）であるか；あるいは
Ｒ6は、Ｃ3−Ｃ5アルケニル、フェニル−Ｃ1−Ｃ3アルキル、−ＣＨ2ＣＨ2ＣＮ、Ｃ1−Ｃ4アルキル−ＣＯ−ＣＨ2ＣＨ2−、ＯＨ−置換Ｃ1−Ｃ4アルキル−ＣＯ−ＣＨ2ＣＨ2−、ＳＨ−置換Ｃ1−Ｃ4アルキル−ＣＯ−ＣＨ2ＣＨ2−、Ｃ2−Ｃ8アルカノイル、ＯＨ−置換Ｃ2−Ｃ8アルカノイル、ＳＨ−置換Ｃ2−Ｃ8アルカノイル又はベンゾイルであり；
Ｒ7は、水素、Ｃ1−Ｃ12アルキル、Ｃ3−Ｃ12−アルケニル、シクロヘキシル、ヒドロキシシクロヘキシル；Ｃ1−Ｃ4アルキル（Ｃｌ、Ｂｒ、ＣＮ、ＳＨ、−Ｎ（Ｃ1−Ｃ4アルキル）2、ピペリジニル、モルホリニル、ＯＨ、Ｃ1−Ｃ4アルコキシ、−ＯＣＨ2ＣＨ2ＣＮ、−ＯＣＨ2ＣＨ2ＣＯＯ（Ｃ1−Ｃ4アルキル）、−Ｏ（ＣＯ）Ｒ19、−ＣＯＯＨ、−ＣＯＯ（Ｃ1−Ｃ8アルキル）、−ＣＯＮＨ（Ｃ1−Ｃ4アルキル）、−ＣＯＮ（Ｃ1−Ｃ4アルキル）2、下記式：
【化４３】
2002544205.tif 000039
で示される基、−ＣＯ（Ｃ1−Ｃ4アルキル）又は下記式：
【化４４】
2002544205.tif 000040
で示される基により単置換又は多置換されている）であるか；あるいはＲ7は、２，３−エポキシプロピル、−（ＣＨ2ＣＨ2Ｏ）nＨ；フェニル（非置換であるか、又はハロゲン、Ｃ1−Ｃ4アルキル、Ｃ1−Ｃ4アルコキシ若しくは−ＣＯＯ（Ｃ1−Ｃ4アルキル）により置換されている）であるか；あるいはＲ7は、フェニル−Ｃ1−Ｃ3アルキル、テトラヒドロピラニル、テトラヒドロフラニル、−ＣＯＯＲ19、−ＣＯＯ（Ｃ1−Ｃ8アルキル）、−ＣＯＮＨ（Ｃ1−Ｃ4アルキル）、−ＣＯＮ（Ｃ1−Ｃ8アルキル）2、−Ｓｉ（Ｒ20）（Ｒ21）2又は−ＳＯ2Ｒ22であり；
Ｒ8は、水素、Ｃ1−Ｃ12アルキル、Ｃ3−Ｃ12アルケニル、シクロヘキシル、ヒドロキシシクロヘキシル；Ｃ1−Ｃ4アルキル（Ｃｌ、Ｂｒ、ＣＮ、ＳＨ、−Ｎ（Ｃ1−Ｃ4アルキル）2、ピペリジニル、モルホリニル、ＯＨ、Ｃ1−Ｃ4アルコキシ、−ＯＣＨ2ＣＨ2ＣＮ、−ＯＣＨ2ＣＨ2ＣＯＯ（Ｃ1−Ｃ4アルキル）、−Ｏ（ＣＯ）Ｒ19、−ＣＯＯＨ、−ＣＯＯ（Ｃ1−Ｃ8アルキル）、−ＣＯＮ（Ｃ1−Ｃ4アルキル）2、下記式：
【化４５】
2002544205.tif 000041
で示される基、−ＣＯ（Ｃ1−Ｃ4アルキル）又は下記式：
【化４６】
2002544205.tif 000042
で示される基により単置換又は多置換されている）であるか；あるいはＲ8は、２，３−エポキシプロピル、フェニル−Ｃ1−Ｃ3アルキル、フェニル−Ｃ1−Ｃ3ヒドロキシアルキル；フェニル（非置換であるか、又はハロゲン、ＳＨ、Ｃ1−Ｃ4アルキル、Ｃ1−Ｃ4アルコキシ若しくは−ＣＯＯ（Ｃ1−Ｃ4アルキル）により単置換若しくは多置換されている）であるか；あるいはＲ8は、２−ベンゾチアジル、２−ベンゾイミダゾリル、−ＣＨ2ＣＨ2−Ｏ−ＣＨ2ＣＨ2−ＳＨ又は−ＣＨ2ＣＨ2−Ｓ−ＣＨ2ＣＨ2−ＳＨであり；
Ｒ9及びＲ10は、相互に独立に、水素、Ｃ1−Ｃ12アルキル；Ｃ2−Ｃ4アルキル（ＯＨ、ＳＨ、Ｃ1−Ｃ4アルコキシ、ＣＮ又は−ＣＯＯ（Ｃ1−Ｃ4アルキル）により置換されている）であるか；あるいはＲ9及びＲ10は、相互に独立に、Ｃ3−Ｃ5アルケニル、シクロヘキシル、フェニル−Ｃ1−Ｃ3アルキル；フェニル（非置換であるか、又はＣ1−Ｃ12アルキル若しくはハロゲンにより単置換若しくは多置換されている）であるか；あるいはＲ9及びＲ10は、一緒に、Ｃ2−Ｃ7アルキレン（場合により、−Ｏ−、−Ｓ−又は−Ｎ（Ｒ6）−が割り込んでいる）であり；
Ｒ11及びＲ12は、相互に独立に、直接結合、−ＣＨ2−、−ＣＨ2ＣＨ2−、−Ｏ−、−Ｓ−、−ＣＯ−又は−Ｎ（Ｒ6）−であり（ただし、Ｒ11及びＲ12は、同時に直接結合ではない）；
Ｒ13は、水素、Ｃ1−Ｃ8アルキル又はフェニルであり；
Ｒ14、Ｒ15及びＲ16は、相互に独立に、水素又はＣ1−Ｃ4アルキルであり；
Ｒ17は、水素、Ｃ1−Ｃ8アルキル又はフェニルであり；
Ｒ19は、Ｃ1−Ｃ4アルキル、Ｃ2−Ｃ4アルケニル又はフェニルであり；
Ｒ20及びＲ21は、相互に独立に、Ｃ1−Ｃ4アルキル又はフェニルであり；
Ｒ22は、Ｃ1−Ｃ18アルキル；又はフェニル（非置換であるか、又はＣ1−Ｃ14アルキルにより置換されている）であり；
Ａ1は、直接結合、−Ｘ〔（ＣＨ2）lＸ′〕q−〔（Ｃ6Ｈ4）oＸ″〕r−、−Ｏ−、−Ｓ−又は−Ｎ（Ｒ6）−であり；
Ｘ、Ｘ′及びＸ″は、相互に独立に、直接結合、−Ｏ−、−Ｓ−、−Ｎ（Ｒ6）−、−Ｏ（ＣＯ）−、−ＣＯＯ−、−ＮＨＣＯ−、−ＣＯＮＨ−又は−ＣＯ−であり；
ｌは、０〜１０の整数であり；
ｑは、０〜５の整数であり；
ｏ及びｒは、相互に独立に、０、１又は２の整数であり；
ＣＴ1は、−Ｙ′−、−Ｒ25−、下記式：
【化４７】
2002544205.tif 000043
で示される基であり；
Ｚ′は、−ＣＯＯＲ25−、−ＣＯＮＲ9Ｒ25−、又は−Ａｒ2−であり；
Ｙ′は、−Ｗ（Ｒ8）t−Ｒ25−であり；
ｔは、０、１又は２の整数であり；
Ｗは、Ｓ、Ｓｉ、Ｓｅ、Ｐ、Ｂｒ、Ｃｌ、Ｓｎ、−Ｏ−Ｏ−、Ｓ（＝Ｏ）、Ｓ（＝Ｏ）2、又はＰ（＝Ｏ）であり；
Ｒ23及びＲ24は、相互に独立に、水素、又はＣ1−Ｃ8アルキルであるか；あるいはＲ23及びＲ24は、一緒に、Ｃ5−Ｃ7シクロアルキルであり；そして
Ｒ25は、直接結合、Ｃ1−Ｃ4アルキレン又はフェニレンであり；
ｕは、０又は１であり；そして
Ｊ及びＪ1は、相互に独立に、ポリマー基である（ただし、Ｊ及びＪ1は、同時に同じ基ではない）〕で示される、請求項１１記載のブロックコポリマー。
【請求項１３】  請求項４記載のマクロ光開始剤及び少なくとも１つのラジカル重合可能モノマーを混合して、光で照射することを特徴とする、請求項１２記載の式（XV）のブロックコポリマーの製造方法。
【請求項１４】  顔料分散剤、乳化安定剤、プラスチックエラストマー、防縮剤、塗料、粉体塗料、医用材料、イメージング材料、熱転写イメージング樹脂の製造のための；接着剤用粘着性付与剤、ホットメルト接着剤、感圧性接着剤、若しくは溶液型接着剤用のベース樹脂、ガラス用の貼合せ接着剤、ポリマーを接着するための接着剤の製造のための；煤煙抑制用の油添加剤、潤滑油用の粘度調整剤、燃料若しくは石油の流動点降下剤の製造のための；アスファルト用改質剤、電線絶縁体若しくは外被、ポリオレフィン用強化剤、合成ポリマー用ドリップ抑制剤、煤煙抑制若しくはドリップ制御のためのロウソク用添加剤、インフレート若しくはキャストフィルム若しくはシート、発泡物体、ホース、不織布、屋根用薄膜、熱可塑性樹脂若しくは熱硬化性樹脂用強化剤、ポリマー用内部可塑剤、キャップライナー樹脂、細デニール繊維、相溶化剤、柔軟なポーチ、包装用フィルムの製造のための；合成滑剤用のベースとして；コーキング用ベースポリマーとして；カーペット裏地用ベース樹脂として、熱可塑性ポリマーへの（そこへの塗料の接着を改善するための）添加剤として、又はくもり止め剤としての、請求項１１又は１２記載のブロックコポリマー。